(57)【要約】      （修正有）【課題】最新の受電機器の給電状況を給電装置に送信する。【解決手段】非接触で前記受電機器２００に給電を行う給電手段１００と、受電機器と通信を行う第一の通信手段１０５と、受電機器と通信を行う第二の通信手段１１１と、受電機器への給電処理を開始する前に、前記受電機器と認証を行うよう前記第一の通信手段１０５を制御する制御手段１０４とを有する。前記制御手段は、前記受電機器との認証結果に基づいて、前記受電機器が第一のタグに対応しているか、第二のタグに対応しているか、前記第二の通信手段に対応しているかを判定する。前記制御手段は、前記受電機器が第二のタグに対応しており、前記受電機器と前記第二の通信手段で通信可能である場合には、前記第二の通信手段を用いて前記受電機器と給電処理に関する情報を送受信し、前記受電機器への給電処理を開始するよう制御する。【選択図】図２
2018133860.tif 000002
【特許請求の範囲】
【請求項１】
非接触で受電機器に給電可能な非接触給電装置であって、
非接触で前記受電機器に給電を行う給電手段と、
前記受電機器と通信を行う第一の通信手段と、
前記受電機器と通信を行う第二の通信手段と、
前記受電機器への給電処理を開始する前に、前記受電機器と認証を行うよう前記第一の通信手段を制御する制御手段とを有し、
前記制御手段は、前記受電機器との認証結果に基づいて、前記受電機器が第一のタグに対応しているか、第二のタグに対応しているか、前記第二の通信手段に対応しているかを判定し、
前記制御手段は、前記受電機器が第二のタグに対応しており、前記受電機器と前記第二の通信手段で通信可能である場合には、前記第二の通信手段を用いて前記受電機器と給電処理に関する情報を送受信し、前記受電機器への給電処理を開始するよう制御することを特徴とする非接触給電装置。
【請求項２】
前記第一のタグとは、通信機能を有するＩＣであって、前記非接触給電装置との認証を行うための認証情報及び、給電処理に関する情報を保持することが可能であり、
前記受電機器の制御手段が所定のテーブルからの情報の書き込み処理及び、前記所定のテーブルからの情報の読み出し処理を行うことができることを特徴とする請求項１に記載の非接触給電装置。
【請求項３】
前記第二のタグとは、通信機能を有するＩＣであって、前記非接触給電装置との認証を行うための認証情報を保持することが可能であり、
前記受電機器の制御手段が所定のテーブルからの情報の書き込み処理及び、前記所定のテーブルからの情報の読み出し処理を行うことができないことを特徴とする請求項１に記載の非接触給電装置。
【請求項４】
前記受電機器の満充電状態を検出する満充電検出手段をさらに備え、
前記満充電検出手段が前記受電機器の満充電状態を検出するまで給電処理を継続することを特徴とする請求項１乃至３のいずれか１項に記載の非接触給電装置。
【請求項５】
前記制御手段は、前記受電機器が第二のタグに対応しており、前記受電機器と前記第二の通信手段で通信不可能である場合には、前記受電機器への給電処理を行わないことを特徴とする請求項１乃至３のいずれか１項に記載の非接触給電装置。
【請求項６】
表示手段をさらに備え、
前記制御手段は、前記受電機器が第二のタグに対応しており、前記受電機器と前記第二の通信手段で通信不可能である場合には、前記表示手段に前記受電機器への給電処理を行うか否かのメッセージを表示させることを特徴とする請求項１乃至４のいずれか１項に記載の非接触給電装置。
【請求項７】
前記制御手段は、前記受電機器が第二のタグに対応しており、前記受電機器と前記第二の通信手段で通信不可能である場合には、前記受電機器と給電処理に関する情報を送受信せずに、給電処理を開始することを特徴とする請求項１乃至４のいずれか１項に記載の非接触給電装置。
【請求項８】
前記制御手段は、給電処理を開始する際に前記受電機器に供給する電力を所定の電力以下にするよう給電手段を制御することを特徴とする請求項７に記載の非接触給電装置。
【請求項９】
表示手段をさらに備え、
前記制御手段は、前記受電機器が第一のタグに対応しており、前記受電機器と前記第二の通信手段で通信可能である場合には、前記表示手段に前記受電機器と給電処理に関する情報を送受信するために前記第一の通信手段を用いるか、前記第二の通信手段を用いるかの選択画面を表示することを特徴とする請求項１乃至４のいずれか１項に記載の非接触給電装置。
【請求項１０】
前記受電機器の残容量を検出する残容量検出手段をさらに備え、
前記制御手段は、前記受電機器が第一のタグに対応しており、前記受電機器と前記第二の通信手段で通信可能である場合には、前記残容量検出手段による検出結果に応じて、前記受電機器と給電処理に関する情報を送受信するために第一の通信手段を用いるか、前記第二の通信手段を用いるかを決定することを特徴とする請求項１乃至４のいずれか１項に記載の非接触給電装置。
【請求項１１】
非接触で受電機器に給電可能な非接触給電装置であって、
非接触で前記受電機器に給電を行う給電手段と、
前記受電機器と通信を行う第一の通信手段と、
前記受電機器と通信を行う第二の通信手段と、
前記受電機器と通信を行う第三の通信手段と、
前記受電機器への給電処理を開始する前に、前記受電機器と認証を行うよう前記第一の通信手段を制御する制御手段とを有し、
前記制御手段は、前記受電機器との認証結果に基づいて、前記受電機器が第一のタグに対応しているか、第二のタグに対応しているか、前記第二の通信手段に対応しているか、前記第三の通信手段に対応しているかを判定し、
前記制御手段は、前記受電機器が第二のタグに対応しており、前記受電機器と前記第二の通信手段及び前記第三の通信手段で通信可能である場合には、前記第二の通信手段または前記第三の通信手段を用いて前記受電機器と給電処理に関する情報を送受信し、前記受電機器への給電処理を開始するよう制御することを特徴とする非接触給電装置。
【請求項１２】
前記第二の通信手段及び前記第三の通信手段の使用状況を検出する通信手段使用状況検出手段をさらに備え、
前記制御手段は、前記受電機器が第二のタグに対応しており、前記受電機器と前記第二の通信手段及び前記第三の通信手段で通信可能である場合には、前記通信手段使用状況検出手段による検出結果に応じて、前記受電機器と給電処理に関する情報を送受信するために前記第二の通信手段を用いるか、前記第三の通信手段を用いるかを決定することを特徴とする請求項１１に記載の非接触給電装置。
【請求項１３】
前記制御手段は、前記受電機器が第二のタグに対応しており、前記受電機器と前記第二の通信手段及び前記第三の通信手段で通信可能である場合には、前記受電機器との認証を行う前に通信を行っていた通信手段を用いて前記受電機器と給電処理に関する情報を送受信することを特徴とする請求項１１に記載の非接触給電装置。
【請求項１４】
前記制御手段は、前記受電機器が第二のタグに対応しており、前記受電機器と前記第二の通信手段及び前記第三の通信手段で通信可能である場合には、前記受電機器と給電処理に関する情報を送受信するために用いる通信手段を、前記第二の通信手段と前記第三の通信手段で切り替えることが可能であることを特徴とする請求項１１乃至１３のいずれか１項に記載の非接触給電装置。
【請求項１５】
前記第一の通信手段は、ＮＦＣ（Ｎｅａｒ  Ｆｉｅｌｄ  Ｃｏｍｍｕｎｉｃａｔｉｏｎ）を用いた通信方式であることを特徴とする請求項１乃至１４のいずれか１項に記載の非接触給電装置。
【請求項１６】
前記第二の通信手段及び前記第三の通信手段は、Ｂｌｕｅｔｏｏｔｈ（登録商標）を用いた通信方式または無線ＬＡＮ規格に則った通信方式であることを特徴とする請求項１乃至１４のいずれか１項に記載の非接触給電装置。
【発明の詳細な説明】
【技術分野】
【０００１】
本発明は、受電機器に対し非接触で電力を供給することが可能な非接触給電装置に関するものである。
【背景技術】
【０００２】
近年、コネクタで物理的に接続することなく非接触で電力を出力するための1次コイルをアンテナとして持つ給電装置と、給電装置から供給される電力を非接触で受け付けるための２次コイルをアンテナとして持つ受電機器とを含む非接触給電システムが知られている。このようなシステムにおいて、給電装置は過剰な電力を受電機器に供給することを防ぎ、様々な受電機器に適した電力供給を行うために、電力供給前に予め受電機器の識別情報や給電に関する情報を取得してから電力の供給を行う技術が公開されている。
【０００３】
例えば、特許文献１では、受電機器から識別情報及び電力受給情報を給電装置に送信し、受信した情報を基に受電機器への電力供給を制御する給電装置が提案されている。
【先行技術文献】
【特許文献】
【０００４】
【特許文献１】国際公開第０９／０１４１２５号
【発明の概要】
【発明が解決しようとする課題】
【０００５】
しかしながら、特許文献１記載の従来技術では、受電機器側の構成に応じて処理を変更することに関しては言及されていない。例えば、ＮＦＣ（Ｎｅａｒ  Ｆｉｅｌｄ  Ｃｏｍｍｕｎｉｃａｔｉｏｎ）を用いて電力の供給と受電機器の識別情報や給電に関する情報の通信を時分割で行う非接触給電システムであって、受電機器がシステムからアクセス可能なタグを搭載していた場合には、刻一刻と変化するバッテリ残量や給電効率等の給電情報を更新して、給電装置に送信することができる。しかし、受電機器がシステムからアクセス不可のタグを搭載していた場合には、給電情報を更新することができず、最新の受電機器の給電状況を給電装置に送信することができないという問題があった。
【課題を解決するための手段】
【０００６】
上記問題を解決するために、本発明は非接触で受電機器に給電可能な非接触給電装置であって、非接触で前記受電機器に給電を行う給電手段と、前記受電機器と通信を行う第一の通信手段と、前記受電機器と通信を行う第二の通信手段と、前記受電機器への給電処理を開始する前に、前記受電機器と認証を行うよう前記第一の通信手段を制御する制御手段とを有し、前記制御手段は、前記受電機器との認証結果に基づいて、前記受電機器が第一のタグに対応しているか、第二のタグに対応しているか、前記第二の通信手段に対応しているかを判定し、前記制御手段は、前記受電機器が第二のタグに対応しており、前記受電機器と前記第二の通信手段で通信可能である場合には、前記第二の通信手段を用いて前記受電機器と給電処理に関する情報を送受信し、前記受電機器への給電処理を開始するよう制御することを特徴とする。
【発明の効果】
【０００７】
本発明によれば、受電機器がシステムからアクセス不可のタグを搭載している場合にも、他の通信手段を用いて給電情報を通信することで適切な給電処理を行うことが可能である。
【図面の簡単な説明】
【０００８】
【図１】本発明の実施例における非接触給電システムの構成を示した図
【図２】本発明の実施例における非接触給電システムの内部構成例を示した図
【図３】本発明の実施例における給電装置１００によって実行される制御処理の一例を示した図
【図４】本発明の第１の実施例における給電装置１００によって実行される認証処理の一例を示した図
【図５】本発明の実施例における給電装置１００によって実行されるステータス情報交換処理の一例を示した図
【図６（ａ）】本発明の実施例における給電装置１００によって実行される第１の給電処理の一例を示した図
【図６（ｂ）】本発明の実施例における給電装置１００によって実行される第１の給電処理の一例を示した図
【図７】本発明の実施例における給電装置１００によって実行される第２の給電処理の一例を示した図
【図８】本発明の実施例における給電装置１００によって実行される第３の給電処理の一例を示した図
【図９】本発明の第２の実施例における給電装置１００によって実行される認証処理の一例を示した図
【図１０】本発明の第３の実施例における給電装置１００によって実行される認証処理の一例を示した図
【発明を実施するための形態】
【０００９】
以下に、本発明の好ましい実施の形態を、添付の図面に基づいて詳細に説明するが、本実施形態に限定されず、その要旨の範囲内で種々の変形及び変更が可能である。
［実施例１］
以下、本発明の実施例１による給電装置について、図面を参照して詳細に説明する。
【００１０】
（非接触給電システムの概要説明）
図１は、本発明における非接触給電システムの構成を示した図である。実施例に係るシステム構成は、図１に示すように、給電装置１００と、給電装置１００と通信を行い、電力の供給を受ける電子機器２００とで構成される。
【００１１】
給電装置１００における所定の範囲３００内に電子機器２００が存在する場合において、給電装置１００は給電アンテナ１０６を介して非接触により通信を行い、電子機器２００が受電可能な機器かを判断する。電子機器２００が受電可能な機器だと分かると、給電アンテナ１０６を介して給電用の電力を出力して電子機器２００に電力を供給する。受電アンテナ２０１を有する電子機器２００は、受電アンテナ２０１を介して給電装置１００から出力される電力を非接触により受け付ける。
【００１２】
給電装置１００における所定の範囲３００内に電子機器２００が存在しない場合、電子機器２００は給電装置１００から電力を受け取ることが出来ない。なお、所定の範囲３００とは、電子機器２００が給電装置１００から供給される電力によって、通信を行うことができる範囲である。なお、給電装置１００は複数の電子機器に対しても、並行して電力を非接触で供給することが可能なものとする。
【００１３】
電子機器２００は、２次電池２０９から供給される電力によって動作する電子機器であれば、タブレット型ＰＣやスマートフォン、デジタルスチルカメラやデジタルビデオカメラ等の撮像装置、音声データや映像データの再生を行うプレイヤ等の再生装置であってもよい。また、電子機器２００は、２次電池２０９から供給される電力によって駆動する車のような移動装置であってもよい。また、電子機器２００は、２次電池２０９が装着されていない場合に、給電装置１００から供給される電力によって動作可能な電子機器であってもよいものとする。
【００１４】
（給電装置１００及び電子機器２００のブロック図の説明）
図２は、本発明における給電装置１００と、電子機器２００とを有する本システムの内部構成例を示した図である。まず、給電装置１００の内部構成例について説明を行う。給電装置１００は、図２に示すように、電力生成部１０１、検出部１０２、整合回路１０３、制御部１０４、第１の通信部１０５、給電アンテナ１０６、メモリ１０７、記録部１０８、表示部１０９、操作部１１０、第２の通信部１１１及びタイマー１１２を有する。さらに、記録部１０８は記録媒体１０８ａを有する。
【００１５】
電力生成部１０１は、ＡＣ電源から供給される電力を用いて、給電アンテナ１０６を介して電子機器２００に供給するための電力を生成する。この際、所定の給電方式に則って電子機器２００に電力を供給する。所定の給電方式とは、例えば、磁界共鳴方式や電磁誘導方式を用いた給電方式である。
【００１６】
電力生成部１０１によって生成される電力には、第１の電力と、第２の電力とがある。第１の電力は、給電装置１００が電子機器２００と通信を行うために用いられる電力である。第２の電力は、給電装置１００が電子機器２００に対して給電を行う場合に電子機器２００に供給するための電力である。また、第２の電力は第１の電力よりも大きい電力であるものとする。例えば、第１の電力は、１Ｗ以下の微弱な電力であり、第２の電力は、２Ｗ以上の電力である。
【００１７】
電力生成部１０１によって生成される電力は、検出部１０２、整合回路１０３を介して給電アンテナ１０６に供給される。検出部１０２は、給電装置１００と電子機器２００とのインピーダンスの整合状態を検出するために、電圧定在波比ＶＳＷＲ（Ｖｏｌｔａｇｅ  Ｓｔａｎｄｉｎｇ  Ｗａｖｅ  Ｒａｔｉｏ）を検出する。さらに、検出部１０２は検出したＶＳＷＲを示す情報を制御部１０４に供給する。ＶＳＷＲは、給電アンテナ１０６から出力される電力の進行波と、給電アンテナ１０６から出力される電力の反射波との関係を示す値であり、
ＶＳＷＲ＝（１＋ρ）／（１−ρ）
で表される。
但し、ρ＝（Ｚ−Ｚｏ）／（Ｚ＋Ｚｏ）＝Ｖｒ／Ｖｆ  
（Ｚ：付加インピーダンス、Ｚｏ伝送線路の特性インピーダンス、Ｖｆ：進行波の振幅電圧、Ｖｒ：反射波の振幅電圧）
である。
【００１８】
制御部１０４は、検出部１０２から供給されるＶＳＷＲの情報を用いて、給電装置１００と電子機器２００のインピーダンスがマッチングしているかどうかを検出することができる。インピーダンスがマッチングした状態は反射波の振幅電圧がゼロとなりＺ＝ＺｏでＶＳＷＲは１となる。ＶＳＷＲが１に近いほど、反射電力が少なく、給電装置１００から電子機器２００に対して供給される電力の損失が少なく、効率が良い状態であることを示す。
【００１９】
また、制御部１０４は、ＶＳＷＲの情報から異物の存在を検出することができる。異物とは、例えば、ＲＦＩＤ（Ｒａｄｉｏ  Ｆｒｅｑｕｅｎｃｙ  ＩＤｅｎｔｉｆｉｃａｔｉｏｎ）や金属物等である。
【００２０】
整合回路１０３は、可変コンデンサ、コンデンサ、可変コイル、コイル、可変抵抗、抵抗等の素子で構成される。整合回路１０３は、給電アンテナ１０６と、制御部１０４により選択された給電の対象となる機器が有する受電アンテナとの間で共振を行うための共振回路であり、電力生成部１０１と給電アンテナ１０６との間のインピーダンスマッチングを行うための回路とを含む。共振周波数は、給電装置１００と、給電装置１００の給電の対象となる機器とが共振を行うための周波数であり、以下「共振周波数ｆ」と呼ぶ。
【００２１】
下記の数式（１）は、共振周波数ｆを示す。Ｌは、整合回路１０３のインダクタンス、Ｃは整合回路１０３のキャパシタンスを示す。
【００２２】
【数１】
2018133860.tif 000003
【００２３】
なお、制御部１０４は、整合回路１０３の可変コンデンサや可変コイルの値を制御することによって、給電アンテナ１０６から出力される電力が共振周波数ｆになるように設定する。共振周波数ｆは、例えば、１３．５６ＭＨｚであり。また、共振周波数ｆは、６．７８ＭＨｚであってもよく、第一の通信部１０５の通信規格で規定されている周波数であってもよい。
【００２４】
制御部１０４は、電力生成部１０１から供給される電力によって、給電装置１００の各部を制御する。また、制御部１０４は、メモリ１０７に記録されているコンピュータプログラムを実行することによって、給電装置１００の各部の動作を制御する。
【００２５】
第１の通信部１０５は、例えば、ＮＦＣフォーラムによって規定されているＮＦＣ規格に基づいて無線通信を行う。また、第１の通信部１０５は、ＩＳＯ／ＩＥＣ  １８０９２規格、ＩＳＯ／ＩＥＣ  １４４４３規格、ＩＳＯ／ＩＥＣ  ２１４８１規格に基づいて無線通信を行ってもよい。第１の通信部１０５は、第１の電力が給電アンテナ１０６から出力されている場合、給電アンテナ１０６を介して電子機器２００と無線給電を行うための情報の送受信を行うことができる。しかし、第２の電力が給電アンテナ１０６から出力されている期間において、第１の通信部１０４は、給電アンテナ１０６を介して電子機器２００と通信を行わないものとする。第２の電力が給電アンテナ１０６から出力されている期間を以下「所定の期間」と呼ぶ。所定の期間は、電子機器２００から取得した情報に基づいて、制御部１０４によって設定される。
【００２６】
第１の通信部１０５と電子機器２００との間で送受信する情報は、ＮＤＥＦ（ＮＦＣ  Ｄａｔａ  Ｅｘｃｈａｎｇｅ  Ｆｏｒｍａｔ）に対応する情報である。第１の通信部１０５は、電子機器２００にＮＤＥＦに対応する情報を送信する場合、電力生成部１０１から供給される第１の電力に情報を重畳する処理を行う。情報が重畳された第１の電力は、給電アンテナ１０６を介して電子機器２００に送信される。
【００２７】
第１の通信部１０５が、電子機器２００からＮＤＥＦに対応する情報を受信する場合、給電アンテナ１０６に流れる電流を検出し、この電流の検出結果に応じて、電子機器２００から情報を受信する。これは、電子機器２００が給電装置１００にＮＤＥＦに対応する情報を送信する場合に、電子機器２００の内部の負荷を変動させることによって、データの送信を行うためである。電子機器２００の内部の負荷が変化した場合、給電アンテナ１０６に流れる電流が変化するため、第１の通信部１０５は、給電アンテナ１０６に流れる電流を検出することで、電子機器２００からＮＤＥＦに対応する情報を受信することができる。
【００２８】
なお、第１の通信部１０５は、ＮＦＣ規格に規定されているリーダライタとして動作するものとする。
【００２９】
給電アンテナ１０６は、電力生成部１０１により生成された電力を外部に出力するためのアンテナである。給電装置１００は、給電アンテナ１０６を介して電子機器２００に電力を供給したり、給電アンテナ１０６を介して電子機器２００に情報を送信する。また、給電装置１００は、給電アンテナ１０６を介して、電子機器２００に送信した情報に対応する応答及び電子機器２００から送信された情報を受信する。また、給電アンテナ１０６は、第１の通信部１０５によって行われる無線通信を電子機器２００と行うために用いられる。
【００３０】
メモリ１０７は、給電装置１００の各部の動作を制御するコンピュータプログラム及び各部の動作に関するパラメータ等の情報を記録する。また、メモリ１０７は、表示部１０９に表示させるための映像情報も記録している。さらに、メモリ１０７は、給電装置１００の識別情報、給電パラメータや給電を制御するためのフラグ等を記録し、電子機器２００から第１の通信部１０５、第２の通信部１１１を介して受信した情報を記録する。
【００３１】
記録部１０８は、第１の通信部１０５、第２の通信部１１１を介して受信した情報を記録媒体１０８ａに記録する。また、記録部１０８は、映像情報や音声情報等の情報を記録媒体１０８ａから読み出し、表示部１０９、第１の通信部１０５及び第２の通信部１１１に供給することもできる。なお、記録媒体１０８ａは、ハードディスクやメモリカード等であってもよく、給電装置１００に内蔵されていても、給電装置１００に着脱可能な外部の記録媒体であってもよい。
【００３２】
表示部１０９は、記録部１０８によって記録媒体１０８ａから読み出される映像情報、メモリ１０７から供給される映像情報及び第２の通信部１１１から供給される映像情報のいずれか一つの映像情報を表示する。映像情報とは、電子機器２００のエラー情報等をユーザに通知するためのメッセージ等である。表示部１０９は、メモリ１０７にあらかじめ記録されているアイコンやメニュー画面等を表示することもできる。
【００３３】
操作部１１０は、給電装置１００を操作するためのユーザインターフェースを提供する。操作部１１０は、給電装置１００を操作するための電源ボタン、給電装置１００の動作モードを切り換えるモード切換ボタン、給電装置１００の設定を変更するための設定変更ボタン等を有し、各ボタンはスイッチ、タッチパネル等により構成される。制御部１０４は、操作部１１０を介して入力されたユーザの指示に従って給電装置１００を制御する。なお、操作部１１０は、不図示のリモートコントローラから受信したリモコン信号に応じて給電装置１００を制御する対象物であってもよい。
【００３４】
第２の通信部１１１は、第１の通信部１０５の通信規格と異なる通信規格に基づいて、電子機器２００と無線通信を行う。第２の通信部１１１の通信規格は、例えば、無線ＬＡＮ規格に規定されている８０２．１１ａ、ｂ、ｇ、ｎ、ａｃ規格やＢｌｕｅｔｏｏｔｈ（登録商標）規格である。第２の通信部１１１は、メモリ１０７及び記録媒体１０８ａのいずれか一つから供給された映像情報や音声情報等の情報を電子機器２００に送信する。また、第２の通信部１１１は、電子機器２００から給電装置１００に送信される映像情報や音声情報等の情報を受信する。また、第２の通信部１１１は、電子機器２００を制御するためのコマンドを給電装置１００から電子機器２００に送信することができる。
【００３５】
タイマー１１２は、現在の時刻や各部で行われる動作や処理に関する時間を計測する。また、タイマー１１２によって計測される時間に対する閾値は、メモリ１０７にあらかじめ記録されている。給電装置１００は、さらに不図示のスピーカ部を有していてもよい。不図示のスピーカ部は、記録部１０８によって記録媒体１０８ａから読み出される音声情報、メモリ１０７から供給される音声情報及び第２の通信部１１１から供給される音声情報のいずれか一つを出力する対象物とする。
【００３６】
次に、電子機器２００の内部構成例について説明を行う。なお、電子機器２００の一例として、デジタルスチルカメラを挙げ、以下に説明を行うものとする。
【００３７】
電子機器２００は、受電アンテナ２０１、整合回路２０２、整流平滑回路２０３、第１の通信部２０４、制御部２０５、電力検出部２０６、レギュレータ２０７、充電制御部２０８、２次電池２０９、第２の通信部２１０、メモリ２１１、記録部２１２、表示部２１３、操作部２１４、撮像部２１５を有する。さらに、第１の通信部２０４はメモリ２０４ａを有し、記録部２１２は記録媒体２１２ａを有する。
【００３８】
受電アンテナ２０１は、給電装置１００から供給される電力を受電するためのアンテナである。また、受電アンテナ２０１は、第１の通信部２０４がＮＦＣ規格を用いた無線通信を給電装置１００と行うために用いられる。電子機器２００は、受電アンテナ２０１を介して、給電装置１００から電力を受電したり、コマンドを受信する。また、電子機器２００は、受電アンテナ２０１を介して給電装置１００を制御するためのコマンド及び給電装置１００から受信したコマンドに対応する応答及び所定の情報を送信する。受電アンテナ２０１を介して給電装置から受電した電力は、整合回路２０２を介して整流平滑回路２０３に供給される。
【００３９】
整合回路２０２は、受電アンテナ２０１と整流平滑回路２０３とインピーダンスマッチングを行うための回路である。また、給電装置１００の共振周波数ｆと同じ周波数で受電アンテナ２０１を共振させるための共振回路でもある。整合回路２０２は、整合回路１０３と同様にコンデンサ、コイル、可変コンデンサ、可変コイル、可変抵抗、抵抗等を有する。制御部２０５は、整合回路２０２を制御し、給電装置１００の共振周波数ｆと同じ周波数で受電アンテナ２０１が共振するように、可変コンデンサのキャパシタンスの値、可変コイルのインダクタンスの値及び可変抵抗のインピーダンスの値を変更する。また、整合回路２０２は、受電アンテナ２０１によって受電される電力を整流平滑回路２０３に供給する。
【００４０】
整流平滑回路２０３は、受電アンテナ２０１によって受電された電力からコマンド及びノイズを取り除き、直流電力を生成する。さらに、整流平滑回路２０３は、生成した直流電力を電力検出回路２０６を介してレギュレータ２０７に供給する。整流平滑回路２０３は、受電アンテナ２０１によって受電される電力から取り除いたコマンドを第１の通信部２０４に供給する。なお、整流平滑回路２０３は、整流用のダイオードを有し、全波整流及び半波整流のいずれか一つにより直流電力を生成する。
【００４１】
第１の通信部２０４は、第１の通信部１０５と同一の通信規格に基づいて、給電装置１００と通信を行う。第１の通信部２０４は、メモリ２０４aを有する。メモリ２０４aには、ＷＰＴ（Ｗｉｒｅｌｅｓｓ  Ｐｏｗｅｒ  Ｔｒａｎｓｆｅｒ）用ＲＴＤ（Ｒｅｃｏｒｄ  Ｔｙｐｅ  Ｄｅｆｉｎｉｔｏｎ）情報が記録されている。ＷＰＴ用ＲＴＤ情報には、ＮＤＥＦに対応する情報が複数格納されている。ＷＰＴ用ＲＴＤ情報には、給電装置１００と電子機器２００との間で無線給電を行うために必要な情報が格納される。
【００４２】
ＷＰＴ用ＲＴＤ情報には、少なくとも無線給電の認証を給電装置１００と行うために用いられる認証情報が格納されている。認証情報には、レコードタイプ名、電子機器２００が対応している給電方式や給電の制御プロトコルを示す情報や電子機器２００の識別情報、電子機器２００の受電能力情報、電子機器２００が備えるタグの種類を示す情報、電子機器２００が備える通信手段を示す情報等が含まれる。レコードタイプ名とは、ＷＰＴ用ＲＴＤ情報に格納されている情報の内容や構造を識別するためのレコードタイプ（ｒｅｃｏｒｄ  ｔｙｐｅ）を示す情報である。レコードタイプ名（ｒｅｃｏｒｄ  ｔｙｐｅ  ｎａｍｅ）は、ＷＰＴ用ＲＴＤ情報を識別するための情報である。受電能力情報は、電子機器２００の受電能力を示す情報であり、例えば、電子機器２００の受電可能な電力の最大値を示す。
【００４３】
ＷＰＴ用ＲＴＤ情報には、さらに受電ステータス情報や給電ステータス情報が格納されていてもよい。受電ステータス情報には、電子機器２００の状態を示す情報が含まれる。例えば、受電ステータス情報には、給電装置１００に要求する要求電力の値、電子機器２００が給電装置１００から受け取った電力の値、２次電池２０９の残容量や２次電池２０９の充電に関する情報、電子機器２００のエラーに関するエラー情報等が含まれる。エラー情報には、電子機器２００にエラーが発生しているか否かを示す情報と、エラーの種類を示す情報とが含まれる。給電ステータス情報には、給電装置１００の状態を示す情報が含まれる。例えば、給電ステータス情報には、給電装置１００の識別情報、給電装置１００が電子機器２００への所定の電力の伝送を開始するか否かを示す情報、給電装置１００で設定された給電パラメータ等が含まれる。
【００４４】
また、メモリ２０４ａには、電子機器２００の通信能力情報も含まれる。電子機器２００の通信能力情報は、電子機器２００が対応している通信方式を示す情報である。電子機器２００が受電アンテナ２０１を介して給電装置１００からの電力を受けてコマンド、所定の情報や応答信号等を送信する手段を有する場合、通信能力情報は、電子機器２００が負荷変調方式により通信を行うことを示す。また、電子機器２００が第２の通信部２１０によって、給電装置１００にコマンド、所定の情報や応答信号等を送信することができる場合、通信能力情報は、電子機器２００が第２の通信部２１０により通信を行うことを示す。
【００４５】
なお、例えば、第２の通信部２１０がＢｌｕｅｔｏｏｔｈ規格に対応している場合、通信能力情報は、電子機器２００がＢｌｕｅｔｏｏｔｈ規格で通信を行うことを示す。なお、電子機器２００が受電アンテナ２０１を介して給電装置１００に所定の情報や応答信号等を送信できる場合で、第２の通信部２１０がＢｌｕｅｔｏｏｔｈ規格に対応する場合、通信能力情報は、電子機器２００が負荷変調方式及びＢｌｕｅｔｏｏｔｈ規格により通信を行うことを示す。
【００４６】
第１の通信部２０４は、ＷＰＴ用ＲＴＤ情報から読み出した情報や応答情報を給電装置１００に送信するために、第１の通信部２０４内部の負荷を変動させる処理を行う。電子機器２００は、ＮＦＣ規格に規定されているタグに対応するものとする。電子機器２００の対応可能なタグの種類として、第１のタグと、第２のタグとがある。
【００４７】
まず、第１のタグについて説明を行う。電子機器２００が第１のタグを備えている場合、制御部２０１は、不図示の内部バスインターフェースを介してＷＰＴ用ＲＴＤ情報に格納されているデータを読み出すことができる。さらに、電子機器２００が第１のタグを備えている場合、制御部２０１は、不図示の内部バスインターフェースを介してＷＰＴ用ＲＴＤ情報に情報を書き込むことができる。
【００４８】
電子機器２００が第１のタグを備えている場合、例えば、制御部２０１は、ＷＰＴ用ＲＴＤ情報から読み出された給電ステータス情報を用いて、電子機器２００の各部を制御することができる。電子機器２００が第１のタグを備えている場合、例えば、制御部２０１は、電子機器２００の各部から供給される情報を用いて受電ステータス情報を定期的に検出し、検出した受電ステータス情報をＷＰＴ用ＲＴＤ情報に書き込むことができる。なお、第１のタグは、「アクティブタグ」や「ダイナミックタグ」と言い換えても良いものとする。電子機器２００が第１のタグを持っている場合におけるＷＰＴ用ＲＴＤ情報には、識別情報、受電ステータス情報及び給電ステータス情報等が格納される。
【００４９】
電子機器２００が第２のタグを備えている場合、制御部２０１は、ＷＰＴ用ＲＴＤ情報に格納されている情報を読み出すことができず、ＷＰＴ用ＲＴＤ情報に情報を書き込むこともできない。この場合、例えば、制御部２０１は、ＷＰＴ用ＲＴＤ情報に格納されている給電ステータス情報を用いて電子機器２００を制御することができず、受電ステータス情報をＷＰＴ用ＲＴＤ情報に書き込むこともできない。電子機器２００が第２のタグを備えている場合におけるＷＰＴ用ＲＴＤ情報には、識別情報や通信能力情報は格納されているが、受電ステータス情報は格納されないものとする。また、電子機器２００が第２のタグを備えている場合におけるＷＰＴ用ＲＴＤ情報には、給電ステータス情報が格納されていてもよい。
【００５０】
なお、電子機器２００が第１のタグ及び第２のタグの少なくとも一つを備えている場合、給電装置１００は、第１の通信部１０５を用いてＷＰＴ用ＲＴＤ情報に格納されている情報を読み出すことができる。さらに、この場合、給電装置１００は、第１の通信部１０５を用いて情報をＷＰＴ用ＲＴＤ情報に書き込むこともできる。制御部２０５は、メモリ２１１に記録されているコンピュータプログラムを実行することによって、電子機器２００の各部の動作を制御する。
【００５１】
電力検出部２０６は、受電アンテナ２０１を介して受け取った電力を検出し、検出した電力を示す情報を制御部２０５に供給する。制御部２０５は、電力検出部２０５から供給された電力情報を用いて、電子機器２００の受電可能な電力の最大値よりも大きな電力を給電装置１００から受け取った場合に発生するエラーを検出し、エラーが発生していることを示す情報を含む受電ステータス情報を第１の通信部２０４または第２の通信部２１０を介して給電装置１００に送信する。
【００５２】
さらに、制御部２０５は、電力検出部２０６から供給された電力情報を用いて、電子機器２００が給電装置１００に対して要求する要求電力に対して電子機器２００が給電装置１００から受け取った電力が足りない場合に発生するエラーを検出し、エラーが発生していることを示す情報を含む受電ステータス情報を第１の通信部２０４または第２の通信部２１０を介して給電装置１００に送信する。
【００５３】
レギュレータ２０７は、整流平滑回路２０３から供給される直流電力の電圧及び２次電池２０９から供給される電力の電圧のいずれか一つが制御部２０５によって設定された電圧値になるように制御する。なお、レギュレータ２０７は、スイッチングレギュレータであっても、リニアレギュレータであっても良いものとする。
【００５４】
充電制御部２０８は、レギュレータ２０７から電力を供給された場合、供給される電力に応じて、２次電池２０９の充電を行う。また、充電制御部２０８は、装着されている２次電池２０９の充電に関する情報を定期的に検出し、制御部２０５に供給する。２次電池２０９の充電に関する情報を以下「充電情報」と呼ぶ。
【００５５】
なお、充電情報には２次電池２０９の残りの容量を示す残容量情報の他に２次電池２０９が満充電であるか否かを示す情報が含まれていてもよく、充電制御部２０８によって、２次電池２０９の充電が開始されてから経過した時間を示す情報が含まれていてもよい。また、充電情報には、充電制御部２０８が２次電池２０９に対してトリクル充電を行っていることを示す情報や、充電制御部２０８が２次電池２０９に対して急速充電を行っていることを示す情報等が含まれていてもよい。
【００５６】
２次電池２０９は、電子機器２００に内蔵されている、もしくは着脱可能な２次電池である。また、２次電池２０９は充電可能な電池であり、例えばリチウムイオン２次電池等である。２次電池２０９は、電子機器２００の各部に対して電力を供給することができる。
【００５７】
制御部２０５は、電子機器２００と２次電池２０９とが接続されているか否かに応じて、電子機器２００にエラーが発生しているか否かを判定する。電子機器２００に２次電池２０９が接続されていない場合にエラーが電子機器２００に発生していることを検出し、エラーが発生していることを示す情報を含む受電ステータス情報を第１の通信部２０４または第２の通信部２１０を介して給電装置１００に送信する。
【００５８】
第２の通信部２１０は、第２の通信部１１１と同一の通信規格に基づいて、給電装置１００と通信を行う。例えば、無線ＬＡＮ規格に規定されている８０２．１１ａ、ｂ、ｇ、ｎ、ａｃ規格やＢｌｕｅｔｏｏｔｈ規格である。
【００５９】
メモリ２１１は、電子機器２００の各部の動作を制御するコンピュータプログラム及び各部の動作に関するパラメータ等の情報を記録する。また、メモリ２１１にはＷＰＴ用ＲＴＤ情報が記録されていてもよい。制御部２０５は、第２の通信部２１０を用いて、情報をメモリ２１１に記録されているＷＰＴ用ＲＴＤ情報に書き込むことができ、またＷＰＴ用ＲＴＤ情報を読み出し、給電装置１００に送信することが可能である。
【００６０】
記録部２１２は、撮像部２１５から供給された映像データを記録媒体２１２ａに記録する。また、記録部２１２は、第２の通信部２１０及び撮像部２１５のいずれか一つから供給された映像情報や音声情報等の情報を記録媒体２１２ａに記録する。また、記録部２１２は、映像情報や音声情報等の情報を記録媒体２１２ａから読み出し、メモリ２１１及び第２の通信部２１０に供給することもできる。なお、記録媒体２１２ａは、ハードディスクやメモリカード等であってもよく、電子機器２００に内蔵されていても、電子機器２００に着脱可能な外部の記録媒体であってもよい。
【００６１】
表示部２１３は、記録部２１２によって記録媒体２１２ａから読み出される映像情報、メモリ２１０から供給される映像情報及び第２の通信部２１０から供給される映像情報のいずれか一つの映像情報を表示する。映像情報とは、電子機器２００のエラー情報等をユーザに通知するためのメッセージ等である。表示部２１３は、メモリ２１０にあらかじめ記録されているアイコンやメニュー画面等を表示することもできる。
【００６２】
操作部２１４は、電子機器２００を操作するためのユーザインターフェースを提供する。操作部２１４は、電子機器２００を操作するための電源ボタン及び電子機器２００の動作しているモードを切り換えるモード切換ボタン等を有し、各ボタンはスイッチ、タッチパネル等により構成される。制御部２０５は、操作部２１４を介して入力されたユーザの指示に従って電子機器２００を制御する。なお、操作部２１４は、不図示のリモートコントローラから受信したリモコン信号に応じて電子機器２００を制御する対象物であってもよい。
【００６３】
撮像部２１５は、被写体の光から映像データを生成するための撮像素子、撮像素子で生成された映像データに対して画像処理を行う画像処理回路、映像データを圧縮したり、圧縮された映像データを伸張したりする圧縮伸張回路等を有する。撮像部２１５は、被写体の撮影を行い、撮影の結果により得られた静止画像や動画像等の映像データを記録部２１２に供給する。なお、撮像部２１５は、被写体の撮影を行うために必要な構成をさらに有していてもよい。
【００６４】
タイマー２１６は、現在の時刻や各部で行われる動作や処理に関する時間を計測する。また、タイマー２１６によって計測される時間に対する閾値は、メモリ２１１にあらかじめ記録されている。
【００６５】
（基本フローの説明）
図３は、本発明における給電装置１００の制御処理を示したフローチャートである。制御処理は、制御部１０４がメモリ１０７に記録されているコンピュータプログラムを実行することによって実現される。Ｓ３０１において、制御部１０４は、後述する電子機器２００の認証処理を行う。認証処理の実行後にＳ３０２の処理へ進む。
【００６６】
Ｓ３０２において、制御部１０４は、給電装置１００が電子機器２００の認証に成功したか否かを判断する。Ｓ３０１で認証処理が行われた場合、制御部１０４はメモリ１０７に認証成功フラグまたは認証失敗フラグのいずれかを設定する。メモリ１０７に認証成功フラグが設定されている場合には、制御部１０４は電子機器２００の認証処理が成功したと判定し（Ｓ３０２、Ｙｅｓ）、Ｓ３０３の処理へ進む。メモリ１０７に認証失敗フラグが設定されている場合には、制御部１０４は電子機器２００の認証処理が失敗したと判定し（Ｓ３０２、Ｎｏ）、Ｓ３０８の処理に進む。
【００６７】
Ｓ３０３において、制御部１０４は、給電装置１００が電子機器２００に給電可能か否かを判定する。Ｓ３０１での認証処理において、制御部１０４はメモリ１０７に給電可能フラグを設定する場合がある。メモリ１０７に給電可能フラグが設定されている場合には、制御部１０４は給電装置１００が電子機器２００への給電が行うことができると判定し（Ｓ３０３、Ｙｅｓ）、Ｓ３１１の処理へ進む。メモリ１０７に給電可能フラグが設定されていない場合には、制御部１０４は給電装置１００が電子機器２００への給電を行うことができない判定し（Ｓ３０３、Ｎｏ）、Ｓ３０４の処理に進む。Ｓ３０４において、制御部１０４は、後述する電子機器２００とのステータス情報交換処理を行う。ステータス情報の交換が行われた後にＳ３０５の処理に進む。
【００６８】
Ｓ３０５において、制御部１０４は、給電装置１００が電子機器２００に給電可能か否かを判定する。Ｓ３０４でステータス情報交換処理が行われた場合、制御部１０４はメモリ１０７に給電可能フラグまたは給電不可フラグのいずれかを設定する。メモリ１０７に給電可能フラグが設定されている場合には、制御部１０４は給電装置１００が電子機器２００への給電が行うことができると判定し（Ｓ３０５、Ｙｅｓ）、Ｓ３０６の処理へ進む。メモリ１０７に給電不可フラグが設定されている場合には、制御部１０４は給電装置１００が電子機器２００への給電を行うことができない判定し（Ｓ３０５、Ｎｏ）、Ｓ３０８の処理に進む。
【００６９】
Ｓ３０６において、制御部１０４は、Ｓ３０４において電子機器２００とのステータス情報の交換を第１の通信部１０５を用いて実行した場合には（Ｓ３０６、Ｙｅｓ）、Ｓ３０９の処理へ進む。第２の通信部１１１を用いて電子機器２００とのステータス情報の交換を実行した場合には（Ｓ３０６、Ｎｏ）、Ｓ３０７の処理へ進む。Ｓ３０７において、制御部１０４は、後述する電子機器２００への第１の給電処理を行う。第１の給電処理の実行後にＳ３０８の処理へ進む。Ｓ３０８において、制御部１０４は、メモリ１０７に記録されている給電パラメータや制御に関するフラグ等を消去し、本フローチャートは終了する。
【００７０】
Ｓ３０９において、制御部１０４は、後述する電子機器２００への第２の給電処理を行う。第２の給電処理の実行後にＳ３１０の処理へ進む。Ｓ３１０において、制御部１０４は、給電装置１００が電子機器２００への給電を継続して行うか否かを判定する。Ｓ３０９で第２の給電処理が行われた場合、制御部１０４はメモリ１０７に給電継続フラグまたは給電停止フラグのいずれかを設定する。
【００７１】
メモリ１０７に給電継続フラグが設定されている場合には、制御部１０４は給電装置１００が電子機器２００への給電を継続して行うものと判定し（Ｓ３１０、Ｙｅｓ）、Ｓ３０４の処理に戻る。メモリ１０７に給電停止フラグが設定されている場合には、制御部１０４は給電装置が電子機器２００への給電を継続せずに停止すると判定し（Ｓ３１０、Ｎｏ）、本フローチャートはＳ３０８の処理へ進む。Ｓ３１１において、制御部１０４は、後述する電子機器２００への第３の給電処理を行う。第３の給電処理の実行後にＳ３０８の処理へ進む。
【００７２】
（認証処理の説明）
図４は、図３のＳ３０１において、本発明における給電装置１００が行う電子機器２００の認証処理を示したフローチャートである。認証処理は、制御部１０４がメモリ１０７に記録されているコンピュータプログラムを実行することによって実現される。
【００７３】
Ｓ４０１において、制御部１０４は、第１の電力を出力するよう電力生成部１０１を制御し、本フローチャートはＳ４０２の処理へ進む。Ｓ４０２において、制御部１０４は、電子機器２００の認証情報を要求するコマンドを電子機器２００へ送信するよう第１の通信部１０５を制御し、本フローチャートはＳ４０３の処理へ進む。
【００７４】
Ｓ４０３において、制御部１０４は、ＷＰＴ用ＲＴＤ情報を受信したか否かを判定する。第１の通信部１０５が電子機器２００から認証情報を受信した場合、制御部１０４は電子機器２００の認証情報から電子機器２００のレコードタイプ名を取得する。その後、制御部１０４は電子機器２００のレコードタイプ名に基づいて、ＷＰＴ用ＲＴＤ情報を検出したか否かを判定する。ＷＰＴ用ＲＴＤ情報が検出された場合には（Ｓ４０３、Ｙｅｓ）、本フローチャートはＳ４０４の処理へ進む。ＷＰＴ用ＲＴＤ情報が検出されない場合には（Ｓ４０３、Ｎｏ）、本フローチャートはＳ４０２の処理に戻る。
【００７５】
Ｓ４０４において、制御部１０４は、電子機器２００の認証情報に含まれるＷＰＴ用ＲＴＤ情報を解析し、本フローチャートはＳ４０５の処理へ進む。Ｓ４０５において、制御部１０４は、Ｓ４０４の解析結果を用いて電子機器２００の認証情報に通信エラーが発生しているか否かを検出する。電子機器２００の認証情報に通信エラーが発生していた場合には（Ｓ４０５、Ｙｅｓ）、本フローチャートはＳ４０６の処理へ進む。電子機器２００の認証情報に通信エラーが発生していない場合には（Ｓ４０５、Ｎｏ）、本フローチャートはＳ４０８の処理へ進む。
【００７６】
Ｓ４０６において、制御部１０４は、給電装置１００と電子機器２００の間の通信でエラーが発生したことを示す情報を表示部１０９に表示させ、本フローチャートはＳ４０７の処理へ進む。Ｓ４０７において、制御部１０４は、メモリ１０７に電子機器２００との認証処理に失敗したことを示す認証失敗フラグを設定する。この場合、本フローチャートは終了し、図３のＳ３０２に進む。
【００７７】
Ｓ４０８において、給電装置１００は、給電装置１００周囲の所定の範囲３００内に異物が存在しているか否かを検出する。制御部１０４は、所定の範囲３００内に異物が混入した場合、検出部１０２で検出されるＶＳＷＲの変化を検出し、異物が存在しているか否かを検出可能である。検出部１０２で検出されるＶＳＷＲが所定値以上変化した場合には（Ｓ４０８、Ｙｅｓ）、本フローチャートはＳ４０９の処理へ進む。検出部１０２で検出されるＶＳＷＲが所定値以上変化していない場合には（Ｓ４０８、Ｎｏ）、本フローチャートはＳ４１０の処理へ進む。
【００７８】
Ｓ４０９において、制御部１０４は、異物が検出されたことを示す情報を表示部１０９に表示させ、本フローチャートはＳ４０７の処理へ進む。Ｓ４１０において、制御部１０４は、Ｓ４０４の解析結果を用いて電子機器２００が給電装置１００に対応しているか否かを判定する。
【００７９】
例えば、制御部１０４は、給電装置１００が対応している給電方式と電子機器２００が対応している給電方式とが一致していた場合、電子機器２００が給電装置１００に対応していると判定する。また、制御部１０４は、給電装置１００が対応している給電方式と電子機器２００が対応している給電方式とが一致していない場合、電子機器２００が給電装置１００に対応していないと判定する。
【００８０】
また、制御部１０４は、給電装置１００が対応している給電の制御プロトコルと電子機器２００が対応している給電の制御プロトコルとが一致していた場合、電子機器２００が給電装置１００に対応していると判定する。また、制御部１０４は、給電装置１００が対応している給電の制御プロトコルと電子機器２００が対応している給電の制御プロトコルとが一致していない場合、電子機器２００が給電装置１００に対応していないと判定する。
【００８１】
電子機器２００が給電装置１００に対応していない場合には（Ｓ４１０、Ｎｏ）、本フローチャートはＳ４１１の処理へ進む。電子機器２００が給電装置１００に対応していた場合には（Ｓ４１０、Ｙｅｓ）、本フローチャートはＳ４１２の処理へ進む。Ｓ４１１において、制御部１０４は、給電装置１００が電子機器２００への給電に対応していないことを示す情報を表示部１０９に表示させ、本フローチャートはＳ４０７の処理へ進む。
【００８２】
Ｓ４１２において、制御部１０４は、Ｓ４０４の解析結果を用いて、電子機器２００が第１のタグを備えているか否かを判定する。制御部１０４は、電子機器２００の認証情報に電子機器２００が第１のタグを備えていることを示す情報が含まれているか否かに応じて、電子機器２００が第１のタグを備えているか否かを判定する。電子機器２００の認証情報に電子機器２００が第１のタグを備えていることを示す情報が含まれている場合、制御部１０１は、電子機器２００が第１のタグを備えていると判定し（Ｓ４１２、Ｙｅｓ）、本フローチャートは、Ｓ４１７の処理へ進む。電子機器２００の認証情報に電子機器２００が第１のタグを持っていることを示す情報が含まれていない場合、制御部１０１は、電子機器２００が第１のタグを備えていないと判定し（Ｓ４１２、Ｎｏ）、本フローチャートは、Ｓ４１３の処理へ進む。
【００８３】
Ｓ４１３において、制御部１０４は、Ｓ４０４の解析結果を用いて、電子機器２００が第２の通信部１１１が用いる通信規格に対応しているか否かを判定する。制御部１０４は、電子機器２００の認証情報に電子機器２００が第２の通信部１１１が用いる通信規格に対応していることを示す情報が含まれているか否かに応じて、電子機器２００が第２の通信部１１１が用いる通信規格に対応しているか否かを判定する。
【００８４】
電子機器２００の認証情報に電子機器２００が第２の通信部１１１が用いる通信規格に対応していることを示す情報が含まれている場合、制御部１０１は、電子機器２００が第２の通信部１１１が用いる通信規格に対応していると判定し（Ｓ４１３、Ｙｅｓ）、本フローチャートは、Ｓ４１４の処理へ進む。電子機器２００の認証情報に電子機器２００が第２の通信部１１１が用いる通信規格に対応していることを示す情報が含まれていない場合、制御部１０１は、電子機器２００が第２の通信部１１１が用いる通信規格に対応していないと判定し（Ｓ４１３、Ｎｏ）、本フローチャートは、Ｓ４１８の処理へ進む。
【００８５】
Ｓ４１４において、制御部１０４は、第２の通信部１１１と電子機器２００が有する第２の通信部２１０との接続処理を行う。第２の通信部１１１と第２の通信部２１０の接続が確立された場合、後述する電子機器２００とのステータス情報交換処理は第２の通信部１１１と第２の通信部２１０間で行われるものとする。この場合、本フローチャートは、Ｓ４１５の処理へ進む。Ｓ４１５において、制御部１０４は、第１の電力の出力を停止するように電力生成部１０１を制御する。この場合、本フローチャートは、Ｓ４１６の処理へ進む。
【００８６】
Ｓ４１６において、制御部１０４は、メモリ１０７に第２のタグを備える電子機器２００との認証処理に成功したことを示す認証成功フラグを設定し、本フローチャートは終了し、図３のＳ３０２に進む。Ｓ４１７において、制御部１０４は、メモリ１０７に第１のタグを備える電子機器２００との認証処理に成功したことを示す認証成功フラグを設定する。この場合、本フローチャートは終了し、図３のＳ３０２に進む。
【００８７】
Ｓ４１８において、制御部１０４は、電子機器２００への給電処理を行うか否かをユーザに選択させるメッセージを表示部１０９に表示する。具体的には、給電装置１００と電子機器２００の間に通信手段が存在せず、給電処理に必要なステータスの交換を行うことができないが、給電処理を実施するか否かをユーザに選択させるメッセージである。上記メッセージが表示部１０９に表示された場合、本フローチャートはＳ４１９の処理へ進む。
【００８８】
Ｓ４１９において、制御部１０４は、操作部１１０からユーザの操作を検出する。ユーザが操作部１１０を操作して給電実施を選択した場合には（Ｓ４１９、Ｙｅｓ）、本フローチャートは、Ｓ４２０の処理へ進む。ユーザが操作部１１０を操作して給電実施を選択しなかった場合には（Ｓ４１９、Ｎｏ）、本フローチャートは、Ｓ４０７の処理へ進む。Ｓ４２０において、制御部１０４は、メモリ１０７に電子機器２００への給電可能を示す給電可能フラグを設定する。この場合、本フローチャートは、Ｓ４１５の処理へ進む。
【００８９】
なお、Ｓ４０１とＳ４０２に間に、制御部１０４はＮＦＣ規格のＮＦＣデジタルプロトコル（ＮＦＣ  Ｄｉｇｉｔａｌ  Ｐｒｏｔｏｃｏｌ）において規定される処理を行ってもよい。なお、本処理では、Ｓ４１８において、給電処理の実施をユーザに選択させるフローを説明したが、電子機器２００が第２の通信部１１１が用いる通信規格に対応していない場合には（Ｓ４１３、Ｎｏ）、給電不可をユーザに通知させる処理（Ｓ４１１）を行ってもよい。
【００９０】
（ステータス情報交換処理の説明）
図５は、図３の３０４において、本発明における給電装置１００が行う電子機器２００とのステータス情報交換処理を示したフローチャートである。ステータス情報交換処理は、制御部１０４がメモリ１０７に記録されているコンピュータプログラムを実行することによって実現される。
【００９１】
Ｓ５０１において、制御部１０４は、電子機器２００のステータス情報を要求するコマンドを電子機器２００へ送信するよう第１の通信部１０５または第２の通信部１１１を制御し、本フローチャートはＳ５０２の処理へ進む。
【００９２】
Ｓ５０２において、制御部１０４は、電子機器２００へのステータス情報要求コマンドの送信が行われてから所定の時間が経過するまでに、第１の通信部１０５または第２の通信部１１１が電子機器２００からステータス情報を受信したか否かを判定する。第１の通信部１０５または第２の通信部１１１が電子機器２００からステータス情報を受信したと判定した場合には（Ｓ５０２、Ｙｅｓ）、本フローチャートはＳ５０５の処理へ進む。ステータス情報要求コマンド送信後、所定の時間内に第１の通信部１０５または第２の通信部１１１が電子機器２００からステータス情報を受信していないと判定した場合には（Ｓ５０２、Ｎｏ）、本フローチャートはＳ５０３の処理へ進む。
【００９３】
Ｓ５０３において、制御部１０４は、Ｓ４０６の処理と同様に給電装置１００と電子機器２００の間の通信でエラーが発生したことを示す情報を表示部１０９に表示させ、本フローチャートはＳ５０４の処理へ進む。Ｓ５０４において、制御部１０４は、メモリ１０７に電子機器２００への給電不可を示す給電不可フラグを設定する。この場合、本フローチャートは終了し、図３のＳ３０５に進む。
【００９４】
Ｓ５０５において、制御部１０４は、第１の通信部１０５または第２の通信部１１１が電子機器２００から受信したステータス情報から電子機器２００の備える２次電池２０９の残容量情報を検出し、残容量情報を解析することで電子機器２００の充電が完了しているか否かを判定する。電子機器２００の充電が完了していると判定された場合には（Ｓ５０５、Ｙｅｓ）、本フローチャートはＳ５０６の処理へ進む。電子機器２００の充電が未完了であると判定された場合には（Ｓ５０５、Ｎｏ）、本フローチャートはＳ５０７の処理へ進む。
【００９５】
Ｓ５０６において、制御部１０４は、電子機器２００の充電が完了したことを示す情報を表示部１０９に表示させる。また、制御部１０４は、電子機器２００の備える２次電池２０９が満充電であることを示す情報を表示部１０９に表示させてもよい。この場合、本フローチャートはＳ５０４の処理へ進む。
【００９６】
Ｓ５０７において、制御部１０４は、第１の通信部１０５または第２の通信部１１１が電子機器２００から受信したステータス情報からエラー情報を検出し、エラー情報を解析することで電子機器２００にエラーが発生しているか否かを判定する。電子機器２００にエラーが発生していると判定された場合には（Ｓ５０７、Ｙｅｓ）、本フローチャートはＳ５０８の処理へ進む。電子機器２００にエラーが発生していないと判定された場合には（Ｓ５０７、Ｎｏ）、本フローチャートはＳ５０９の処理へ進む。
【００９７】
Ｓ５０８において、制御部１０４は、電子機器２００にエラーが発生していることを示す情報を表示部１０９に表示させる。さらに、制御部１０４は、電子機器２００に発生しているエラーの種類を示す情報を表示部１０９に表示させてもよい。この場合、本フローチャートはＳ５０４の処理へ進む。Ｓ５０９において、制御部１０４は、Ｓ４０８の処理と同様に、検出部１０２で検出されるＶＳＷＲが所定値以上変化したか否かを検出する。検出部１０２で検出されるＶＳＷＲが所定値以上変化した場合には（Ｓ５０９、Ｙｅｓ）、本フローチャートはＳ５１０の処理へ進む。検出部１０２で検出されるＶＳＷＲが所定値以上変化していない場合には（Ｓ５０９、Ｎｏ）、本フローチャートはＳ５１２の処理へ進む。
【００９８】
Ｓ５１０において、制御部１０４は、第１の通信部１０５または第２の通信部１１１から電子機器２００へ異物を検出したことを通知する情報を送信し、本フローチャートはＳ５１１の処理へ進む。Ｓ５１１において、制御部１０４は、異物が検出されたことを示す情報を表示部１０９に表示させ、本フローチャートはＳ５０４の処理へ進む。
【００９９】
Ｓ５１２において、制御部１０４は、第１の通信部１０５または第２の通信部１１１が電子機器２００から受信したステータス情報を用いて、給電パラメータを設定する。給電パラメータとは、例えば、第２の電力値情報、給電時間情報である。制御部１０４は、電子機器２００から要求されている電力と、給電装置１００から電子機器２００への給電効率に基づいて、第２の電力値及び給電時間を設定する。給電装置１００から電子機器２００への給電効率とは、給電装置１００が出力する電力に対して電子機器２００が受け取る電力の割合を示す。また、制御部１０４は、電子機器２００の備える２次電池２１１の残容量に基づいて、第２の電力値及び給電時間を設定してもよい。制御部１０４は、設定した給電パラメータをメモリ１０７に記録し、本フローチャートはＳ５１３の処理へ進む。
【０１００】
Ｓ５１３において、制御部１０４は、第１の通信部１０５または第２の通信部１１１を制御し、電子機器２００へ給電ステータス情報を送信する。制御部１０４は、給電装置１００の識別情報、Ｓ５１２で設定された給電パラメータ及び電子機器２００への第２の電力の伝送を開始することを示す情報を含む給電ステータス情報を生成する。制御部１０４は、生成した給電ステータス情報を電子機器２００へ送信するよう第１の通信部１０５または第２の通信部１１１を制御する。この場合、本フローチャートはＳ５１４の処理へ進む。
【０１０１】
給電装置１００から送信された給電ステータス情報がＷＰＴ用ＲＴＤ情報に書き込まれた場合、制御部２０５は、給電ステータス情報が正常にＷＰＴ用ＲＴＤ情報に書き込まれたことを示す応答情報を給電装置１００に送信するよう第１の通信部２０４または第２の通信部１１１を制御する。
【０１０２】
Ｓ５１４において、制御部１０４は、電子機器２００への給電ステータス情報の送信が行われてから所定の時間が経過するまでに、第１の通信部１０５または第２の通信部１１１が電子機器２００からの応答情報を受信したか否かを判定する。第１の通信部１０５または第２の通信部１１１が電子機器２００から応答情報を受信したと判定した場合には（Ｓ５１４、Ｙｅｓ）、本フローチャートはＳ５１６の処理へ進む。
【０１０３】
給電ステータス情報の送信後、所定の時間内に第１の通信部１０５または第２の通信部１１１が電子機器２００から応答情報を受信していないと判定した場合には（Ｓ５１４、Ｎｏ）、本フローチャートはＳ５１５の処理へ進む。なお、第１の通信部１０５または第２の通信部１１１が電子機器２００から受信した応答情報が、給電ステータス情報が正常にＷＰＴ用ＲＴＤ情報に書き込まれていないことを示している場合にも、本フローチャートはＳ５１５の処理へ進む。
【０１０４】
Ｓ５１５において、制御部１０４は、Ｓ４０６の処理と同様に給電装置１００と電子機器２００の間の通信でエラーが発生したことを示す情報を表示部１０９に表示させ、本フローチャートはＳ５０４の処理へ進む。Ｓ５１６において、制御部１０４は、メモリ１０７に電子機器２００への給電可能を示す給電可能フラグを設定する。この場合、本フローチャートは終了し、図３のＳ３０５に進む。
【０１０５】
本処理によって、電子機器２００が第１のタグを備えている場合には、第１の通信部１０５を用いてステータス情報の交換を行い、電子機器２００が第２のタグを備えている場合であっても、第２の通信部１１１を用いてステータス情報の交換を行うことが可能である。
【０１０６】
（第１の給電処理の説明）
図６（ａ）、（ｂ）は、図３の３０７において、本発明における給電装置１００が行う電子機器２００への第１の給電処理を示したフローチャートである。第１の給電処理は、制御部１０４がメモリ１０７に記録されているコンピュータプログラムを実行することによって実現される。
【０１０７】
また、図６（ａ）は、電子機器２００への給電処理を示すフローチャートであり、図６（ｂ）は、図６（ａ）に示す給電処理が実行されている間に常に実行されている電子機器２００からのステータス情報の受信処理を示すフローチャートである。Ｓ６０１ａにおいて、制御部１０４は、Ｓ５１２で設定された給電パラメータに基づいて、第２の電力を出力するよう電力生成部１０１を制御する。この場合、本フローチャートはＳ６０２ａの処理へ進む。
【０１０８】
Ｓ６０２ａにおいて、制御部１０４は、第２の通信部１１１が電子機器２００から受信したステータス情報から電子機器２００の備える２次電池２０９の残容量情報を検出し、残容量情報を解析することで電子機器２００の充電が完了しているか否かを判定する。電子機器２００の充電が完了していると判定された場合には（Ｓ６０２ａ、Ｙｅｓ）、本フローチャートはＳ６０３ａの処理へ進む。電子機器２００の充電が未完了であると判定された場合には（Ｓ６０２ａ、Ｎｏ）、本フローチャートはＳ６０６ａの処理へ進む。
【０１０９】
Ｓ６０３ａにおいて、制御部１０４は、第２の電力の出力を停止するように電力生成部１０１を制御する。この場合、本フローチャートはＳ６０４ａの処理へ進む。Ｓ６０４ａにおいて、制御部１０４は、電子機器２００の充電が完了したことを示す情報を表示部１０９に表示させる。また、制御部１０４は、電子機器２００の備える２次電池２０９が満充電であることを示す情報を表示部１０９に表示させてもよい。この場合、本フローチャートはＳ６０５ａの処理へ進む。
【０１１０】
Ｓ６０５ａにおいて、制御部１０４は、メモリ１０７に電子機器２００への給電を停止することを示す給電停止フラグを設定する。この場合、本フローチャートは終了し、図３のＳ３０８に進む。Ｓ６０６ａにおいて、制御部１０４は、Ｓ４０８の処理と同様に、検出部１０２で検出されるＶＳＷＲが所定値以上変化したか否かを検出する。検出部１０２で検出されるＶＳＷＲが所定値以上変化した場合には（Ｓ６０６ａ、Ｙｅｓ）、本フローチャートはＳ６０７ａの処理へ進む。検出部１０２で検出されるＶＳＷＲが所定値以上変化していない場合には（Ｓ６０６ａ、Ｎｏ）、本フローチャートはＳ６０２ａの処理に戻る。
【０１１１】
Ｓ６０７ａにおいて、制御部１０４は、Ｓ６０３ａの処理と同様に、第２の電力の出力を停止するように電力生成部１０１を制御する。この場合、本フローチャートはＳ６０８ａの処理へ進む。
【０１１２】
Ｓ６０８ａにおいて、制御部１０４は、異物を検出した旨のメッセージを表示部１０９に表示させる。具体的には、給電装置１００の所定の範囲３００内に異物が存在している可能性があることから、異物が給電装置１００の所定の範囲３００内に存在することにより、給電装置１００が電子機器２００への第２の電力の供給を停止することをユーザに通知するためのメッセージである。また、制御部１０４が表示部１０９に表示させるメッセージは、電子機器２００への給電処理を再開するために、給電装置１００の所定の範囲３００内から異物を取り除くようユーザに促すためのメッセージでもよい。さらに、電子機器２００への給電処理を再開するために、操作部１１０で給電装置１００を操作するようユーザに促すためのメッセージでもよい。上記メッセージが表示部１０９に表示された場合、本フローチャートはＳ６０５ａの処理へ進む。
【０１１３】
Ｓ６０１ｂにおいて、制御部１０４は、Ｓ４１４の処理で接続された第２の通信部１１１と第２の通信部２１０間の通信の切断を検出する。第２の通信部１１１と第２の通信部２１０間の通信の切断を検出した場合には（Ｓ６０１ｂ、Ｙｅｓ）、本フローチャートはＳ６０２ｂの処理へ進む。第２の通信部１１１と第２の通信部２１０間の通信が維持されている場合には（Ｓ６０１ｂ、Ｎｏ）、本フローチャートはＳ６０５ｂの処理へ進む。Ｓ６０２ｂにおいて、制御部１０４は、Ｓ６０３ａの処理と同様に、第２の電力の出力を停止するように電力生成部１０１を制御する。この場合、本フローチャートはＳ６０３ｂの処理へ進む。
【０１１４】
Ｓ６０３ｂにおいて、制御部１０４は、電子機器２００との通信が切断された旨のメッセージを表示部１０９に表示させる。具体的には、電子機器２００との通信が途絶えたことにより、給電装置１００が電子機器２００への第２の電力の供給を停止することをユーザに通知するためのメッセージである。また、電子機器２００への給電処理を再開するために、操作部１１０で給電装置１００を操作するようユーザに促すためのメッセージでもよい。上記メッセージが表示部１０９に表示された場合、本フローチャートはＳ６０４ｂの処理へ進む
【０１１５】
Ｓ６０４ｂにおいて、制御部１０４は、Ｓ６０５ａの処理と同様に、メモリ１０７に電子機器２００への給電を停止することを示す給電停止フラグを設定する。この場合、本フローチャートは終了し、図３のＳ３０８に進む。
【０１１６】
Ｓ６０５ｂにおいて、制御部１０４は、第２の通信部１１１を制御して電子機器２００からのステータス情報の受信を監視する。第２の通信部１１１が電子機器２００からステータス情報を受信したと判定した場合には（Ｓ６０５ｂ、Ｙｅｓ）、本フローチャートはＳ６０６ｂの処理へ進む。第２の通信部１１１が電子機器２００からステータス情報を受信していないと判定した場合には（Ｓ６０５ｂ、Ｎｏ）、本フローチャートはＳ６０９ｂの処理へ進む。
【０１１７】
Ｓ６０６ｂにおいて、制御部１０４は、Ｓ５０７の処理と同様に、第２の通信部１１１が電子機器２００から受信したステータス情報からエラー情報を検出し、エラー情報を解析することで電子機器２００にエラーが発生しているか否かを判定する。電子機器２００にエラーが発生していると判定された場合には（Ｓ６０６ｂ、Ｙｅｓ）、本フローチャートはＳ６０７ｂの処理へ進む。電子機器２００にエラーが発生していないと判定された場合には（Ｓ６０６ｂ、Ｎｏ）、本フローチャートはＳ６０１ｂの処理に戻る。Ｓ６０７ｂにおいて、制御部１０４は、Ｓ６０３ａの処理と同様に、第２の電力の出力を停止するように電力生成部１０１を制御する。この場合、本フローチャートはＳ６０８ｂの処理へ進む。
【０１１８】
Ｓ６０８ｂにおいて、制御部１０４は、電子機器２００にエラーが発生した旨のメッセージを表示部１０９に表示させる。具体的には、電子機器２００の受電可能な電力の最大値よりも大きな電力を給電装置１００から受け取った場合に発生するエラーや、電子機器２００が給電装置１００に対して要求する要求電力に対して電子機器２００が給電装置１００から受け取った電力が足りない場合に発生するエラー等である。また、電子機器２００に２次電池２０９が未接続であることを示すエラーであってもよい。上記メッセージが表示部１０９に表示された場合、本フローチャートはＳ６０４ｂの処理へ進む。
【０１１９】
Ｓ６０９ｂにおいて、制御部１０４は、タイマー１１２から前回のステータス情報の受信から所定の時間以上経過しているか否かを判定する。所定の時間以上経過していると判定された場合には（Ｓ６０９ｂ、Ｙｅｓ）、本フローチャートはＳ６１０ｂの処理へ進む。所定の時間が経過していないと判定された場合には（Ｓ６０９ｂ、Ｎｏ）、本フローチャートはＳ６０１ｂの処理に戻る。Ｓ６１０ｂにおいて、制御部１０４は、電子機器２００のステータス情報を要求するコマンドを電子機器２００へ送信するよう第２の通信部１１１を制御し、本フローチャートはＳ６１１ｂの処理へ進む。
【０１２０】
Ｓ６１１ｂにおいて、制御部１０４は、電子機器２００へのステータス情報要求コマンドの送信が行われてから所定の時間が経過するまでに、第２の通信部１１１が電子機器２００からステータス情報を受信したか否かを判定する。第２の通信部１１１が電子機器２００からステータス情報を受信したと判定した場合には（Ｓ６１１ｂ、Ｙｅｓ）、本フローチャートはＳ６０６ｂの処理へ進む。ステータス情報要求コマンド送信後、所定の時間内に第２の通信部１１１が電子機器２００からステータス情報を受信していないと判定した場合には（Ｓ６１１ｂ、Ｎｏ）、本フローチャートはＳ６１２ｂの処理へ進む。
【０１２１】
Ｓ６１２ｂにおいて、制御部１０４は、Ｓ６０３ａの処理と同様に、第２の電力の出力を停止するように電力生成部１０１を制御する。この場合、本フローチャートはＳ６１３ｂの処理へ進む。
【０１２２】
Ｓ６１３ｂにおいて、制御部１０４は、電子機器２００との通信エラーを示すメッセージを表示部１０９に表示させる。具体的には、第２の通信部１１１と第２の通信部２１０間の通信が維持されているにもかかわらず（Ｓ６０１ｂ、Ｎｏ）、第２の通信部１１１が電子機器２００からステータス情報を受信していない場合（Ｓ６１１ｂ、Ｎｏ）、第２の通信部１１１と第２の通信部２１０で通信エラーが発生した可能性があることから、通信エラーが発生したことにより電装置１００が電子機器２００への第２の電力の供給を停止することをユーザに通知するためのメッセージである。また、電子機器２００への給電処理を再開するために、操作部１１０で給電装置１００を操作するようユーザに促すためのメッセージでもよい。上記メッセージが表示部１０９に表示された場合、本フローチャートはＳ６０４ｂの処理へ進む。
【０１２３】
本処理によって、給電装置１００は第２のタグを備える電子機器２００に対しても、給電処理に関するステータス情報を交換することが可能であり、電子機器２００への給電を適切に行うことが可能である。また、第２の通信部１１１を用いて電子機器２００とのステータス情報の交換を行うことで、２次電池２０９が満充電になるまで第２の電力を電子機器２００に供給し続けることが可能である。第２の通信部１１１が電子機器２００からエラー情報を受信した場合、または通信の切断やエラーを検出した場合には、第２の電力を停止することが可能である。
【０１２４】
（第２の給電処理の説明）
図７は、図３のＳ３０９において、本発明における給電装置１００が行う電子機器２００への第２の給電処理を示したフローチャートである。第２の給電処理は、制御部１０４がメモリ１０７に記録されているコンピュータプログラムを実行することによって実現される。
【０１２５】
Ｓ７０１において、制御部１０４は、Ｓ５１２で設定された給電パラメータに基づいて、第２の電力を出力するよう電力生成部１０１を制御する。さらに制御部１０４は、第２の電力が出力されたから経過した時間を計測するようタイマー１１２を制御し、本フローチャートはＳ７０２の処理へ進む。
【０１２６】
Ｓ７０２において、制御部１０４は、タイマー１１２によって計測された時間に基づいて、第２の電力が出力されてから所定の時間が経過したか否かを判定する。タイマー１１２によって計測された時間が所定の時間以上である場合、制御部１０４は、第２の電力が出力されてから所定の時間が経過したと判定し（Ｓ７０２、Ｙｅｓ）、本フローチャートはＳ７１５の処理へ進む。タイマー１１２によって計測された時間が所定の時間未満である場合、制御部１０４は、第２の電力が出力されてから所定の時間が経過していないと判定し（Ｓ７０２、Ｎｏ）、本フローチャートはＳ７０３の処理へ進む。
【０１２７】
Ｓ７０３において、制御部１０４は、Ｓ４０８の処理と同様に、検出部１０２で検出されるＶＳＷＲが所定値以上変化したか否かを検出する。検出部１０２で検出されるＶＳＷＲが所定値以上変化した場合には（Ｓ７０３、Ｙｅｓ）、本フローチャートはＳ７０４の処理へ進む。検出部１０２で検出されるＶＳＷＲが所定値以上変化していない場合には（Ｓ７０３、Ｎｏ）、本フローチャートはＳ７０１の処理に戻る。
【０１２８】
Ｓ７０４において、制御部１０４は、第２の電力の出力を停止するように電力生成部１０１を制御する。この場合、本フローチャートはＳ７０５の処理へ進む。Ｓ７０５において、制御部１０４は、第１の電力を出力するように電力生成部１０１を制御する。この場合、本フローチャートはＳ７０６の処理へ進む。Ｓ７０６において、制御部１０４は、Ｓ５０１の処理と同様に、電子機器２００のステータス情報を要求するコマンドを電子機器２００へ送信するよう第１の通信部１０５を制御する。この場合、本フローチャートはＳ７０７の処理へ進む。
【０１２９】
Ｓ７０７において、制御部１０４は、Ｓ５０２の処理と同様に、電子機器２００へのステータス情報要求コマンドの送信が行われてから所定の時間が経過するまでに、第１の通信部１０５が電子機器２００からステータス情報を受信したか否かを判定する。第１の通信部１０５が電子機器２００からステータス情報を受信したと判定した場合には（Ｓ７０７、Ｙｅｓ）、本フローチャートはＳ７１１の処理へ進む。ステータス情報要求コマンド送信後、所定の時間内に第１の通信部１０５が電子機器２００からステータス情報を受信していないと判定した場合には（Ｓ７０７、Ｎｏ）、本フローチャートはＳ７０８の処理へ進む。
【０１３０】
Ｓ７０８において、制御部１０４は、子機器２００との通信が切断された旨のメッセージを表示部１０９に表示させる。具体的には、第１の通信部１０５が電子機器２００からステータス情報を受信していない場合（Ｓ７０７、Ｎｏ）、電子機器２００が給電装置１００の所定の範囲３００外に移動させられた可能性があることから、電子機器２００を給電装置１００の所定の範囲３００内に移動させるようユーザに促すためのメッセージである。また、第１の通信部１０５が電子機器２００からステータス情報を受信していない場合（Ｓ７０７、Ｎｏ）、第１の通信部１０５と第１の通信部２０４が通信を行うことができない状態に変化した可能性があることから、第１の通信部１０５と第１の通信部２０４間の通信が行えなくなったことにより、給電装置１００が電子機器２００への第２の電力の供給を停止することをユーザに通知するためのメッセージでもよい。
【０１３１】
さらに、電子機器２００への給電処理を再開するために、操作部１１０で給電装置１００を操作するようユーザに促すためのメッセージでもよい。上記メッセージが表示部１０９に表示された場合、本フローチャートはＳ７０９の処理へ進む。
【０１３２】
Ｓ７０９において、制御部１０４は、電子機器２００へ給電ステータス情報を送信するよう第１の通信部１０５を制御する。制御部１０４は、給電装置１００の識別情報及び電子機器２００への第２の電力の伝送を停止することを示す給電ステータス情報を生成する。制御部１０４は、生成した給電ステータス情報を電子機器２００に送信するよう第１の通信部１０５を制御する。この場合、本フローチャートはＳ７１０の処理へ進む。
【０１３３】
Ｓ７１０において、制御部１０４は、メモリ１０７に電子機器２００への給電を停止することを示す給電停止フラグを設定する。この場合、本フローチャートは終了し、図３のＳ３１０に進む。
【０１３４】
Ｓ７１１において、制御部１０４は、Ｓ５０７の処理と同様に、第１の通信部１０５が電子機器２００から受信したステータス情報からエラー情報を検出し、エラー情報を解析することで電子機器２００にエラーが発生しているか否かを判定する。電子機器２００にエラーが発生していると判定された場合には（Ｓ７１１、Ｙｅｓ）、本フローチャートはＳ７１４の処理へ進む。電子機器２００にエラーが発生していないと判定された場合には（Ｓ７１１、Ｎｏ）、本フローチャートはＳ７１２の処理へ進む。
【０１３５】
Ｓ７１２において、制御部１０４は、Ｓ５１０の処理と同様に、電子機器２００へ異物を検出したことを通知する情報を送信するよう第１の通信部１０５を制御する。この場合、本フローチャートはＳ７１３の処理へ進む。
【０１３６】
Ｓ７１３において、制御部１０４は、異物を検出した旨のメッセージを表示部１０９に表示させる。具体的には、給電装置１００の所定の範囲３００内に異物が存在している可能性があることから、異物が給電装置１００の所定の範囲３００内に存在することにより、給電装置１００が電子機器２００への第２の電力の供給を停止することをユーザに通知するためのメッセージである。また、制御部１０４が表示部１０９に表示させるメッセージは、電子機器２００への給電処理を再開するために、給電装置１００の所定の範囲３００内から異物を取り除くようユーザに促すためのメッセージでもよい。さらに、電子機器２００への給電処理を再開するために、操作部１１０で給電装置１００を操作するようユーザに促すためのメッセージでもよい。上記メッセージが表示部１０９に表示された場合、本フローチャートはＳ７０９の処理へ進む。
【０１３７】
Ｓ７１４において、電子機器２００にエラーが発生した旨のメッセージを表示部１０９に表示させる。具体的には、電子機器２００の受電可能な電力の最大値よりも大きな電力を給電装置１００から受け取った場合に発生するエラーや、電子機器２００が給電装置１００に対して要求する要求電力に対して電子機器２００が給電装置１００から受け取った電力が足りない場合に発生するエラー等である。また、電子機器２００に２次電池２０９が未接続であることを示すエラーであってもよい。上記メッセージが表示部１０９に表示された場合、本フローチャートはＳ７０９の処理へ進む。
【０１３８】
Ｓ７１５において、制御部１０４は、Ｓ７０４の処理と同様に、第２の電力の出力を停止するように電力生成部１０１を制御する。この場合、本フローチャートはＳ７１６の処理へ進む。Ｓ７１６において、制御部１０４は、第１の電力を出力するよう電力生成部１０１を制御し、本フローチャートはＳ７１７の処理へ進むＳ７１７において、制御部１０４は、メモリ１０７に電子機器２００への給電を継続することを示す給電継続フラグを設定する。この場合、本フローチャートは終了し、図３のＳ３１０に進む。
【０１３９】
（第３の給電処理の説明）
図８は、図３のＳ３１１において、本発明における給電装置１００が行う電子機器２００への第３の給電処理を示したフローチャートである。第３の給電処理は、制御部１０４がメモリ１０７に記録されているコンピュータプログラムを実行することによって実現される。
【０１４０】
Ｓ８０１において、制御部１０４は、Ｓ４０４で取得した認証情報から、電子機器２００の受電能力に基づいて、電子機器２００の受電能力を超えない第２の電力を出力するよう電力生成部１０１を制御する。この場合、本フローチャートはＳ８０２の処理へ進む。Ｓ８０２において、制御部１０４は、タイマー１１２から第２の電力を出力してから所定の時間以上経過しているか否かを判定する。所定の時間以上経過していると判定された場合には（Ｓ８０２、Ｙｅｓ）、本フローチャートはＳ８０３の処理へ進む。所定の時間が経過していないと判定された場合には（Ｓ８０２、Ｎｏ）、本フローチャートはＳ８０６の処理へ進む。
【０１４１】
Ｓ８０３において、制御部１０４は、制御部１０４は、第２の電力の出力を停止するように電力生成部１０１を制御する。この場合、本フローチャートはＳ８０４の処理へ進む。Ｓ８０４において、制御部１０４は、電子機器２００への給電処理が完了したことを示す情報を表示部１０９に表示させる。この場合、本フローチャートはＳ８０５の処理へ進む。
【０１４２】
Ｓ８０５において、制御部１０４は、メモリ１０７に電子機器２００への給電を停止することを示す給電停止フラグを設定する。この場合、本フローチャートは終了し、図３のＳ３０８に進む。Ｓ８０６において、制御部１０４は、Ｓ４０８の処理と同様に、検出部１０２で検出されるＶＳＷＲが所定値以上変化したか否かを検出する。検出部１０２で検出されるＶＳＷＲが所定値以上変化した場合には（Ｓ８０６、Ｙｅｓ）、本フローチャートはＳ８０７の処理へ進む。検出部１０２で検出されるＶＳＷＲが所定値以上変化していない場合には（８０６、Ｎｏ）、本フローチャートはＳ８０２の処理に戻る。
【０１４３】
Ｓ８０７において、制御部１０４は、異物を検出した旨のメッセージを表示部１０９に表示させる。具体的には、給電装置１００の所定の範囲３００内に異物が存在している可能性があることから、異物が給電装置１００の所定の範囲３００内に存在することにより、給電装置１００が電子機器２００への第２の電力の供給を停止することをユーザに通知するためのメッセージである。
【０１４４】
また、制御部１０４が表示部１０９に表示させるメッセージは、電子機器２００への給電処理を再開するために、給電装置１００の所定の範囲３００内から異物を取り除くようユーザに促すためのメッセージでもよい。さらに、電子機器２００への給電処理を再開するために、操作部１１０で給電装置１００を操作するようユーザに促すためのメッセージでもよい。上記メッセージが表示部１０９に表示された場合、本フローチャートはＳ８０５の処理へ進む
【０１４５】
本処理によって、給電装置１００は給電処理に関するステータス情報を交換しなくても給電処理を行うことが可能である。本処理では、電子機器２００の給電状態を給電装置１００が検出できないことから、第２の電力は微小な電力に設定して給電を行うことが望ましい。
【０１４６】
［実施例２］
以下、本発明の実施例２による給電装置について、図面を参照して詳細に説明する。実施例１では、電子機器２００の備えるタグが第２のタグであっても、第２の通信部１１１を用いて給電に関するステータス情報の交換を行い、電子機器２００への適切な給電処理を行った。それに対して、実施例２では、電子機器２００備えるタグに関わらず、第２の通信部１１１を用いて給電に関するステータス情報の交換が可能ならば、第２の通信部１１１を用いてステータス情報の交換を行い、電子機器２００への給電処理を行う。実施例１と重複する部分の説明は省略する。
【０１４７】
（認証処理の説明）
図９は、図３のＳ３０１において、本発明の実施例２における給電装置１００が行う電子機器２００の認証処理を示したフローチャートである。認証処理は、制御部１０４がメモリ１０７に記録されているコンピュータプログラムを実行することによって実現される。
【０１４８】
Ｓ９０１からＳ９１６までの処理とＳ４０１からＳ４１６までの処理は同一の処理であるので説明は省略する。また、Ｓ９１７からＳ９１９までの処理とＳ４１８からＳ４２０までの処理も同一の処理であるので説明は省略する。
【０１４９】
Ｓ９２０において、Ｓ４１３の処理と同様に、制御部１０４は、Ｓ９０４の解析結果を用いて、電子機器２００が第２の通信部１１１が用いる通信規格に対応しているか否かを判定する。制御部１０４は、電子機器２００の認証情報に電子機器２００が第２の通信部１１１が用いる通信規格に対応していることを示す情報が含まれているか否かに応じて、電子機器２００が第２の通信部１１１が用いる通信規格に対応しているか否かを判定する。電子機器２００の認証情報に電子機器２００が第２の通信部１１１が用いる通信規格に対応していることを示す情報が含まれている場合、制御部１０１は、電子機器２００が第２の通信部１１１が用いる通信規格に対応していると判定し（Ｓ９２０、Ｙｅｓ）、本フローチャートは、Ｓ９２１の処理へ進む。
【０１５０】
電子機器２００の認証情報に電子機器２００が第２の通信部１１１が用いる通信規格に対応していることを示す情報が含まれていない場合、制御部１０１は、電子機器２００が第２の通信部１１１が用いる通信規格に対応していないと判定し（Ｓ９２０、Ｎｏ）、本フローチャートは、Ｓ９２５の処理へ進む。
【０１５１】
Ｓ９２１において、制御部１０４は、電子機器２００と第１の通信部１０５を用いて通信を行うか、または第２の通信部１１１を用いて通信を行うかをユーザに選択させるメッセージを表示部１０９に表示する。上記メッセージが表示部１０９に表示された場合、本フローチャートはＳ９２２の処理へ進む。
【０１５２】
Ｓ９２２において、制御部１０４は、操作部１１０からユーザの操作を検出する。ユーザが操作部１１０を操作して第１の通信部１０５を用いて電子機器２００と通信を行うことを選択した場合には（Ｓ９２２、Ｎｏ）、本フローチャートは、Ｓ９２５の処理へ進む。ユーザが操作部１１０を操作して第２の通信部１１１を用いて電子機器２００と通信を行うことを選択した場合には（Ｓ９２２、Ｙｅｓ）、本フローチャートは、Ｓ９２３の処理へ進む。
【０１５３】
Ｓ９２３において、Ｓ４１４の処理と同様に、制御部１０４は、第２の通信部１１１と電子機器２００が有する第２の通信部２１０との接続処理を行う。第２の通信部１１１と第２の通信部２１０の接続が確立された場合、電子機器２００とのステータス情報交換処理は第２の通信部１１１と第２の通信部２１０間で行われるものとする。この場合、本フローチャートは、Ｓ９２４の処理へ進む。
【０１５４】
Ｓ９２４において、Ｓ４１５の処理と同様に、制御部１０４は、第１の電力の出力を停止するように電力生成部１０１を制御する。この場合、本フローチャートは、Ｓ９２５の処理へ進む。Ｓ９２５において、Ｓ４１７の処理と同様に制御部１０４は、メモリ１０７に第１のタグを備える電子機器２００との認証処理に成功したことを示す認証成功フラグを設定する。この場合、本フローチャートは終了し、図３のＳ３０２に進む。
【０１５５】
なお、本処理では、Ｓ９２１において、給電処理の実施をユーザに選択させるフローを説明したが、電子機器２００の有する２次電池２０９の電池残量に応じて、ステータス情報を交換する通信手段を決定してもよい。例えば、２次電池２０９の電池残量が所定以下である場合には、より早い充電が望まれるので、第２の通信部１１１を用いてステータス情報の交換を行う。ステータス交換処理及び第１の給電処理は実施例１と同一の処理であるので説明は省略する。
【０１５６】
本処理によって、第２の通信部１１１と第２の通信部２１０が通信可能な場合には、第２の通信部１１１を用いて電子機器２００と給電処理に関するステータス情報を交換することで、電子機器２００への給電時間を削減することが可能である。
【０１５７】
［実施例３］
以下、本発明の実施例３による給電装置について、図面を参照して詳細に説明する。実施例３では、不図示の第３の通信手段を有する給電装置１００と電子機器２００の給電処理に関して説明を行う。
【０１５８】
第３の通信部は、第１の通信部１０５及び第２の通信部１１１の通信規格と異なる通信規格に基づいて、電子機器２００と無線通信を行う。第３の通信部の通信規格は、例えば、無線ＬＡＮ規格に規定されている８０２．１１ａ、ｂ、ｇ、ｎ、ａｃ規格やＢｌｕｅｔｏｏｔｈ規格である。実施例１及び実施例２と重複する部分の説明は省略する。
【０１５９】
（認証処理の説明）
図１０は、図３のＳ３０１において、本発明の実施例３における給電装置１００が行う電子機器２００の認証処理を示したフローチャートである。認証処理は、制御部１０４がメモリ１０７に記録されているコンピュータプログラムを実行することによって実現される。Ｓ１００１からＳ１０１２までの処理とＳ４０１からＳ４１２までの処理は同一の処理であるので説明は省略する。また、Ｓ１０１８の処理とＳ４１７の処理も同一の処理であるので説明は省略する。
【０１６０】
Ｓ１０１３において、制御部１０４は、Ｓ１００４の解析結果を用いて、電子機器２００が第２の通信部１１１及び第３の通信部が用いる通信規格に対応しているか否かを判定する。制御部１０４は、電子機器２００の認証情報に電子機器２００が第２の通信部１１１及び第３の通信部が用いる通信規格に対応していることを示す情報が含まれているか否かに応じて、電子機器２００が第２の通信部１１１及び第３の通信部が用いる通信規格に対応しているか否かを判定する。
【０１６１】
電子機器２００の認証情報に電子機器２００が第２の通信部１１１及び第３の通信部が用いる通信規格に対応していることを示す情報が含まれている場合、制御部１０１は、電子機器２００が第２の通信部１１１及び第３の通信部が用いる通信規格に対応していると判定し（Ｓ１０１３、Ｙｅｓ）、本フローチャートは、Ｓ１０１４の処理へ進む。電子機器２００の認証情報に電子機器２００が第２の通信部１１１及び第３の通信部が用いる通信規格に対応していることを示す情報が含まれていない場合、制御部１０１は、電子機器２００が第２の通信部１１１及び第３の通信部が用いる通信規格に対応していないと判定し（Ｓ１０１３、Ｎｏ）、本フローチャートは、Ｓ１０１１の処理へ進む。
【０１６２】
Ｓ１０１４において、制御部１０４は、第２の通信部１１１が電子機器２００以外の外部機器と接続をしているか否かを判定する。第２の通信部１１１が外部機器と接続をしていない場合には（Ｓ１０１４、Ｎｏ）、本フローチャートは、Ｓ１０１５の処理へ進む。第２の通信部１１１が外部機器と接続をしている場合には（Ｓ１０１４、Ｙｅｓ）、本フローチャートは、Ｓ１０１７の処理へ進む。
【０１６３】
Ｓ１０１５において、Ｓ４１４の処理と同様に、制御部１０４は、第２の通信部１１１と電子機器２００が有する第２の通信部２１０との接続処理を行う。第２の通信部１１１と第２の通信部２１０の接続が確立された場合、後述する電子機器２００とのステータス情報交換処理は第２の通信部１１１と第２の通信部２１０間で行われるものとする。この場合、本フローチャートは、Ｓ１０１６の処理へ進む。
【０１６４】
Ｓ１０１６において、Ｓ４１６の処理と同様に、制御部１０４は、メモリ１０７に第２のタグを備える電子機器２００との認証処理に成功したことを示す認証成功フラグを設定し、本フローチャートは終了し、図３のＳ３０２に進む。Ｓ１０１７において、制御部１０４は、第３の通信部と電子機器２００が有する第３の通信部との接続処理を行う。接続が確立された場合、電子機器２００とのステータス情報交換処理は第３の通信部を用いて行われるものとする。この場合、本フローチャートは、Ｓ１０１６の処理へ進む。
【０１６５】
なお、本処理では、Ｓ１０１４において、通信手段の使用状況に応じて給電に関するステータス情報の交換を行う通信手段を決定したが、予め電子機器２００と接続済みの通信手段を用いてステータス情報の交換を行ってもよい。また、電子機器２００が第１のタグに対応している場合（Ｓ１０１２、Ｙｅｓ）にも、同様にステータス情報の交換を行う通信手段を決定することが可能である。その際には、バッテリ残量に応じて通信手段を決定してもよい。
【符号の説明】
【０１６６】
１００  給電装置
２００  電子機器
【図１】
2018133860.tif 000004
【図２】
2018133860.tif 000005
【図３】
2018133860.tif 000006
【図４】
2018133860.tif 000007
【図５】
2018133860.tif 000008
【図６（ａ）】
2018133860.tif 000009
【図６（ｂ）】
2018133860.tif 000010
【図７】
2018133860.tif 000011
【図８】
2018133860.tif 000012
【図９】
2018133860.tif 000013
【図１０】
2018133860.tif 000014